(57)【要約】【課題】メディアがダメージを受けるおそれを低減できる搬送装置及び記録装置を提供すること。【解決手段】搬送装置１２は、軸部材９２が取り付けられるロール体９１からメディア９９を巻き出すことによってメディアを搬送する搬送装置であって、ロール体を収容する収容部２２と、収容部が装着される本体部２３と、メディアを挟み込むローラー対３１と、を備え、収容部及び本体部は、相対的に移動可能とされ、本体部は、軸部材が有するギヤ９４と噛合可能なラック２４を有し、ラックは、収容部が本体部に対して相対的に移動することによって本体部から引き出される場合に、ギヤと噛み合う。【選択図】図１
2020131582.tif 000002
【特許請求の範囲】
【請求項１】
軸部材が取り付けられるロール体からメディアを巻き出すことによって前記メディアを搬送する搬送装置であって、
前記ロール体を収容する収容部と、
前記収容部が装着される本体部と、
前記メディアを挟み込むローラー対と、を備え、
前記収容部及び前記本体部は、相対的に移動可能とされ、
前記本体部は、前記軸部材が有するギヤと噛合可能なラックを有し、
前記ラックは、前記収容部が前記本体部に対して相対的に移動することによって前記本体部から引き出される場合に、前記ギヤと噛み合うことを特徴とする搬送装置。
【請求項２】
前記本体部は、前記軸部材を支持可能な第１支持部を有し、
前記収容部は、前記軸部材を支持可能な第２支持部を有し、
前記第１支持部は、前記収容部が前記本体部に装着された状態において前記軸部材を支持し、
前記第２支持部は、前記収容部が前記本体部から引き出された状態において前記軸部材を支持し、前記第１支持部が前記軸部材を支持する位置よりも低い位置で前記軸部材を支持することを特徴とする請求項１に記載の搬送装置。
【請求項３】
前記本体部は、前記第１支持部に支持される位置と前記第２支持部に支持される位置との間において前記軸部材の移動をガイドする傾斜面を有することを特徴とする請求項２に記載の搬送装置。
【請求項４】
前記収容部と前記本体部とを接続し、前記収容部と前記本体部との相対的な移動をガイドするガイドレールを備えることを特徴とする請求項１から請求項３の何れか一項に記載の搬送装置。
【請求項５】
請求項１から請求項４の何れか一項に記載の搬送装置と、
前記メディアに記録する記録部と、を備えることを特徴とする記録装置。
【発明の詳細な説明】
【技術分野】
【０００１】
本発明は、搬送装置及び記録装置に関する。
【背景技術】
【０００２】
特許文献１には、搬送装置の一例として、メディアが巻き重ねられたロール体の軸部材を支持する収容部と、収容部から引き出し可能な引き出し部材と、ロール体からメディアを巻き出すローラー対と、を備える給送装置が記載されている。この給送装置においては、収容部から引き出し部材を引き出すと、引き出し部材とともにロール体が収容部から引き出される。そのため、収容部から引き出し部材を引き出すことによって、ロール体の残量を確認したり、ロール体を交換したりすることができる。
【先行技術文献】
【特許文献】
【０００３】
【特許文献１】特開２０１１−１７３３３１号公報
【発明の概要】
【発明が解決しようとする課題】
【０００４】
特許文献１に記載された給送装置においては、ローラー対によってメディアが挟み込まれた状態で収容部から引き出し部材を引き出すと、ロール体の軸部材が収容部から引き出されることによってメディアにテンションがかかる。このとき、メディアがダメージを受けるおそれがある。
【課題を解決するための手段】
【０００５】
上記課題を解決する搬送装置は、軸部材が取り付けられるロール体からメディアを巻き出すことによって前記メディアを搬送する搬送装置であって、前記ロール体を収容する収容部と、前記収容部が装着される本体部と、前記メディアを挟み込むローラー対と、を備え、前記収容部及び前記本体部は、相対的に移動可能とされ、前記本体部は、前記軸部材が有するギヤと噛合可能なラックを有し、前記ラックは、前記収容部が前記本体部に対して相対的に移動することによって前記本体部から引き出される場合に、前記ギヤと噛み合う。
【０００６】
上記課題を解決する記録装置は、上記搬送装置と、前記メディアに記録する記録部と、を備える。
【図面の簡単な説明】
【０００７】
【図１】搬送装置を備える記録装置の一実施形態を模式的に示す側面図。
【図２】図１の断面図。
【図３】収容部を本体部から引き出すときの側面図。
【図４】図３の断面図。
【図５】ラックがギヤと噛み合うときの側面図。
【図６】図５の断面図。
【図７】収容部を本体部から引き出したときの側面図。
【図８】図７の断面図。
【図９】搬送装置の第１変更例を模式的に示す側面図。
【図１０】第１変更例において収容部を本体部に装着したときの側面図。
【図１１】第１変更例において第１支持部が軸部材を支持するときの側面図。
【図１２】搬送装置の第２変更例を模式的に示す側面図。
【図１３】第２変更例において収容部を本体部に装着する途中の側面図。
【図１４】第２変更例において収容部を本体部に装着したときの側面図。
【発明を実施するための形態】
【０００８】
以下、搬送装置を備える記録装置の一実施形態について図を参照しながら説明する。記録装置は、例えば、用紙等のメディアに液体の一例であるインクを吐出することによって、文字、写真等の画像を記録するインクジェット式のプリンターである。
【０００９】
図１に示すように、記録装置１１は、メディア９９を搬送する搬送装置１２と、メディア９９に記録する記録部１３とを備える。搬送装置１２は、メディア９９が巻き重ねられたロール体９１からメディア９９を巻き出すことによって、メディア９９を搬送する。記録部１３は、搬送装置１２によって搬送されるメディア９９に記録する。
【００１０】
本実施形態の記録装置１１は、搬送装置１２によって搬送されるメディア９９を支持する支持部１４を備える。支持部１４は、記録部１３と対向する位置に位置する。記録部１３は、メディア９９に対して、少なくとも支持部１４に支持される領域に液体を吐出する。
【００１１】
搬送装置１２は、軸部材９２が取り付けられるロール体９１からメディア９９を巻き出すことによってメディア９９を搬送する。軸部材９２は、ロール体９１の軸として機能する。軸部材９２は、ロール体９１に挿入されることによって、ロール体９１に取り付けられる。
【００１２】
本実施形態において、ロール体９１は、軸部材９２が挿入された状態でロール体９１の両端にホルダー９３が取り付けられることによって、軸部材９２に固定される。これにより、ロール体９１は、軸部材９２と同じ回転速度で回転可能となる。ロール体９１は、軸部材９２とともに回転することによってメディア９９を巻き出す。ロール体９１は、軸部材９２が取り付けられた状態で搬送装置１２にセットされる。
【００１３】
搬送装置１２は、筐体２１を備える。本実施形態において、筐体２１は、記録部１３及び支持部１４を収容する。
搬送装置１２は、ロール体９１を収容する収容部２２と、収容部２２が装着される本体部２３とを備える。収容部２２及び本体部２３は、相対的に移動可能とされる。
【００１４】
収容部２２は、例えば、本体部２３から引き出し可能に構成される。収容部２２を本体部２３から引き出すと、収容部２２とともにロール体９１が本体部２３から引き出される。すなわち、収容部２２を本体部２３から引き出すと、収容部２２とともに軸部材９２が本体部２３に対して移動する。収容部２２は、ロール体９１を収容する状態で本体部２３から引き出される。そのため、収容部２２を本体部２３から引き出すことによって、ロール体９１の残量を確認したり、ロール体９１を交換したりできる。
【００１５】
図１において実線及び破線で示す収容部２２は、本体部２３に装着された状態である。図１において２点鎖線で示す収容部２２は、本体部２３から引き出された状態である。収容部２２は、本体部２３に対して相対的に移動することによって、本体部２３に装着された状態と本体部２３から引き出された状態との間で変位する。ロール体９１を収容した収容部２２を本体部２３に装着することによって、ロール体９１が搬送装置１２にセットされる。
【００１６】
本実施形態の本体部２３は、筐体２１内に位置する。本実施形態において、本体部２３に装着された収容部２２は、本体部２３に収容される。そのため、本実施形態においては、収容部２２が本体部２３に収容された状態が、収容部２２が本体部２３に装着された状態となる。すなわち、収容部２２に収容されるロール体９１は、収容部２２が本体部２３に収容された状態において、本体部２３に収容される。搬送装置１２は、収容部２２が本体部２３を収容するように構成されてもよい。この場合には、収容部２２が本体部２３を収容する状態が、収容部２２が本体部２３に装着された状態となる。
【００１７】
本体部２３は、軸部材９２が有するギヤ９４と噛合可能なラック２４を有する。ギヤ９４は、例えば軸部材９２が延びる方向である軸方向の一端に設けられる。ラック２４は、収容部２２が本体部２３に対して相対的に移動することによって本体部２３から引き出される場合に、ギヤ９４と噛み合う。本実施形態のラック２４は、収容部２２が本体部２３に対して相対的に移動することによって本体部２３に装着される場合にも、ギヤ９４と噛み合う。ラック２４は、収容部２２が本体部２３に対して相対的に移動する過程において、収容部２２がロール体９１を収容する状態でギヤ９４と噛み合う。そのため、収容部２２が本体部２３に対して相対的に移動することに伴い、軸部材９２が回転する。
【００１８】
軸部材９２が回転すると、ロール体９１が回転する。収容部２２が本体部２３から引き出される場合においては、メディア９９を巻き出す方向にロール体９１が回転する。すなわち、収容部２２が本体部２３から引き出される場合、図１において反時計回りとなる方向にロール体９１が回転する。収容部２２が本体部２３に装着される場合においては、メディア９９を巻き取る方向にロール体９１が回転する。すなわち、収容部２２が本体部２３に装着される場合、図１において時計回りとなる方向にロール体９１が回転する。
【００１９】
搬送装置１２は、収容部２２と本体部２３とを接続するガイドレール２５を備えてもよい。ガイドレール２５は、収容部２２と本体部２３との相対的な移動をガイドする。本実施形態のガイドレール２５は、第１ガイドレール２６、第２ガイドレール２７及び第３ガイドレール２８を備える。
【００２０】
第１ガイドレール２６は、収容部２２に取り付けられる。第３ガイドレール２８は、本体部２３に取り付けられる。第２ガイドレール２７は、第１ガイドレール２６及び第３ガイドレール２８に取り付けられる。第２ガイドレール２７は、第１ガイドレール２６及び第３ガイドレール２８に対して移動可能とされる。第１ガイドレール２６、第２ガイドレール２７及び第３ガイドレール２８は、それぞれの長手方向が一致するように配置される。
【００２１】
第２ガイドレール２７の一端は、第１ガイドレール２６に取り付けられる。第２ガイドレール２７の一端は、第１ガイドレール２６に沿って移動可能とされる。第２ガイドレール２７の他端は、第３ガイドレール２８に取り付けられる。第２ガイドレール２７の他端は、第３ガイドレール２８に沿って移動可能とされる。
【００２２】
収容部２２が本体部２３から引き出された状態においては、ガイドレール２５が延びた状態となる。収容部２２が本体部２３に装着された状態においては、ガイドレール２５が縮んだ状態となる。具体的には、収容部２２が本体部２３に装着された状態において、ガイドレール２５は、第１ガイドレール２６が第２ガイドレール２７に収容された状態、且つ第２ガイドレール２７が第３ガイドレール２８に収容された状態となる。このように、収容部２２及び本体部２３は、ガイドレール２５によって互いに連結された状態で、相対的に移動可能とされる。
【００２３】
搬送装置１２は、メディア９９を挟持するローラー対３１を備える。本実施形態のローラー対３１は、筐体２１内に位置する。ローラー対３１は、例えば第１ローラー３２と第２ローラー３３とを有する。第１ローラー３２及び第２ローラー３３によってメディア９９が挟持される状態で第１ローラー３２及び第２ローラー３３が回転すると、メディア９９が搬送される。これにより、ロール体９１からメディア９９が巻き出される。本実施形態のローラー対３１は、メディア９９を記録部１３に向けて搬送する。
【００２４】
図１及び図２に示すように、本実施形態の本体部２３は、軸部材９２を支持可能な第１支持部３４を有する。第１支持部３４は、収容部２２が本体部２３に装着された状態において軸部材９２を支持する。第１支持部３４は、軸部材９２を回転可能な状態で支持する。第１支持部３４は、例えば軸受である。
【００２５】
本実施形態の第１支持部３４は、複数のコロ３５を含む。複数のコロ３５は、軸部材９２の周面に接触することによって軸部材９２を支持する。複数のコロ３５は、軸部材９２の軸方向の両端を支持するように設けられる。本実施形態において、複数のコロ３５は、４つのコロ３５である。軸部材９２の一端部分及び他端部分のそれぞれは、２つのコロ３５によって支持される。軸部材９２が回転すると、コロ３５も回転する。
【００２６】
搬送装置１２は、第１支持部３４に支持される軸部材９２に回転トルクを付与するトルク付与機構３６を備えてもよい。トルク付与機構３６は、例えば駆動ギヤ３７とモーター３８とを含む。駆動ギヤ３７は、軸部材９２が第１支持部３４に支持された状態でギヤ９４と噛み合うように位置する。
【００２７】
モーター３８は、駆動ギヤ３７と接続される。モーター３８が駆動すると、駆動ギヤ３７が回転する。駆動ギヤ３７が回転すると、ギヤ９４を介して軸部材９２に回転トルクが付与される。トルク付与機構３６が軸部材９２に回転トルクを付与することによって、ロール体９１から巻き出されるメディア９９にかかるテンションを調整できる。
【００２８】
メディア９９を搬送する際、ローラー対３１が回転する。ローラー対３１が回転すると、ロール体９１からメディア９９が巻き出される。このとき、ローラー対３１によりロール体９１からメディア９９が引っ張られることによって、メディア９９にテンションがかかる。メディア９９に所定の大きさのテンションがかかると、メディア９９を精度よく搬送できる。
【００２９】
メディア９９にかかるテンションが小さい場合、ロール体９１とローラー対３１との間においてメディア９９が弛むことがある。メディア９９が弛むと、メディア９９が斜めに傾いた状態で搬送されるおそれがある。そのため、メディア９９にかかるテンションが小さい場合、メディア９９に形成されたしわが十分に解消できず、メディア９９の搬送精度が低下するおそれがある。
【００３０】
メディア９９にかかるテンションが大きい場合、ローラー対３１に対してメディア９９が滑るおそれがある。そのため、メディア９９にかかるテンションが大きい場合、メディア９９の搬送精度が低下するおそれがある。また、メディア９９にかかるテンションが大きい場合、メディア９９のダメージに繋がるおそれもある。
【００３１】
例えば、メディア９９を巻き出す方向にロール体９１を回転させる回転トルクをトルク付与機構３６がロール体９１に付与すると、メディア９９にかかるテンションが小さくなる。メディア９９を巻き取る方向にロール体９１を回転させる回転トルクをトルク付与機構３６がロール体９１に付与すると、メディア９９にかかるテンションが大きくなる。このように、トルク付与機構３６によって、メディア９９にかかるテンションを調整できる。
【００３２】
収容部２２は、軸部材９２を支持可能な第２支持部４１を有する。第２支持部４１は、収容部２２が本体部２３から引き出された状態において軸部材９２を支持する。第２支持部４１は、軸部材９２を回転可能な状態で支持する。
【００３３】
本実施形態の第２支持部４１は、複数の溝４２で構成される。複数の溝４２は、軸部材９２の周面に接触することによって軸部材９２を支持する。複数の溝４２は、軸部材９２の両端を支持するように設けられる。本実施形態において、複数の溝４２は、２つの溝４２である。軸部材９２の一端部分及び他端部分のそれぞれは、複数の溝４２によって支持される。
【００３４】
複数の溝４２は、底面４３と第１側面４４と第２側面４５とを含む。底面４３は、軸部材９２の荷重を受ける面である。第１側面４４及び第２側面４５は、底面４３と連なり、底面４３から上方に向けて延びる面である。
【００３５】
軸部材９２は、その端部が底面４３、第１側面４４及び第２側面４５に囲まれるように複数の溝４２に支持される。これにより、ロール体９１は、複数の溝４２において軸部材９２が第１側面４４及び第２側面４５に沿って上下に移動可能な状態で、収容部２２に収容される。
【００３６】
軸部材９２は、収容部２２が本体部２３から引き出される過程において、第１支持部３４に支持される位置から第２支持部４１に支持される位置に変位する。すなわち、軸部材９２が第１支持部３４に支持される位置から第２支持部４１に支持される位置に変位する過程において、ギヤ９４がラック２４と噛み合う。少なくとも収容部２２が本体部２３に装着されている状態において、本実施形態の第２支持部４１は、第１支持部３４が軸部材９２を支持する位置よりも低い位置で軸部材９２を支持する。
【００３７】
軸部材９２は、収容部２２が本体部２３に装着される過程において、第２支持部４１に支持される位置から第１支持部３４に支持される位置に変位する。すなわち、軸部材９２が第２支持部４１に支持される位置から第１支持部３４に支持される位置に変位する過程において、ギヤ９４がラック２４と噛み合う。本実施形態において、第２支持部４１によって軸部材９２が支持される位置の高さと、ラック２４がギヤ９４と噛み合うとき軸部材９２の高さとは、一致する。こうすると、収容部２２が本体部２３に対して相対的に移動する過程において、ラック２４とギヤ９４とが噛み合いやすくなる。
【００３８】
本実施形態の本体部２３は、第１支持部３４に支持される位置と第２支持部４１に支持される位置との間において軸部材９２の移動をガイドする案内面４６を有する。案内面４６は、第１支持部３４に支持される位置から第２支持部４１に支持される位置に向けて、軸部材９２をガイドする。案内面４６は、第２支持部４１に支持される位置から第１支持部３４に支持される位置に向けて、軸部材９２をガイドする。案内面４６は、例えば水平な面である。本実施形態の案内面４６は、第１支持部３４が軸部材９２を支持する位置よりも低い位置で、軸部材９２をガイドする。
【００３９】
本実施形態の本体部２３は、第１支持部３４に支持される位置と第２支持部４１に支持される位置との間において軸部材９２の移動をガイドする傾斜面４７を有する。傾斜面４７は、第１支持部３４に支持される位置から第２支持部４１に支持される位置に向けて、軸部材９２をガイドする。傾斜面４７は、第２支持部４１に支持される位置から第１支持部３４に支持される位置に向けて、軸部材９２をガイドする。傾斜面４７は、案内面４６からラック２４に連なる面である。傾斜面４７は、案内面４６に対して傾斜する面である。本実施形態の傾斜面４７は、案内面４６からラック２４に向けて下方に傾斜する面である。
【００４０】
次に、収容部２２が本体部２３から引き出される過程における軸部材９２の動きについて説明する。
収容部２２を本体部２３から引き出す場合、まず、収容部２２が本体部２３に対して相対的に移動することにより、第１支持部３４に支持される軸部材９２を第１側面４４が押す。軸部材９２は、第１側面４４に押されることによって、第１支持部３４に支持される位置から案内面４６上の位置に変位する。本実施形態においては、軸部材９２は、第１側面４４に押されることによって第１支持部３４から脱落する。軸部材９２は、第１支持部３４から脱落すると、案内面４６に載る。
【００４１】
続いて、収容部２２を本体部２３からさらに引き出すと、軸部材９２は、第１側面４４に押されることによって、案内面４６に沿って変位する。軸部材９２は、傾斜面４７に向かうように案内面４６に沿って変位する。このようにして、案内面４６は、軸部材９２の移動をガイドする。
【００４２】
図３及び図４に示すように、収容部２２を本体部２３からさらに引き出すと、軸部材９２は、第１側面４４に押されることによって、案内面４６上の位置から傾斜面４７上の位置に変位する。軸部材９２は、重力の作用によって、傾斜面４７に沿ってラック２４に向かうように変位する。このようにして、傾斜面４７は、軸部材９２の移動をガイドする。
【００４３】
図５及び図６に示すように、収容部２２を本体部２３からさらに引き出すと、軸部材９２は、傾斜面４７にガイドされることによって、傾斜面４７上の位置からギヤ９４がラック２４と噛み合う位置に変位する。このとき、ラック２４は、軸部材９２の荷重を受ける。ラック２４とギヤ９４とが噛み合う状態で収容部２２を本体部２３から引き出すと、軸部材９２は、第１側面４４に押されることによって、ラック２４とギヤ９４とが噛み合いながら回転する。このとき、ロール体９１からメディア９９が巻き出される。
【００４４】
ロール体９１から巻き出されたメディア９９は、ローラー対３１によって挟み込まれている。これにより、収容部２２を本体部２３から引き出すとき、収容部２２とともにロール体９１が本体部２３から引き出されることによって、メディア９９に大きなテンションがかかる。すなわち、収容部２２を本体部２３から引き出すとき、ローラー対３１に挟み込まれるメディア９９をロール体９１が引っ張ることによって、メディア９９に大きなテンションがかかる。ロール体９１が引っ張ることによってメディア９９に大きなテンションがかかると、メディア９９がダメージを受けるおそれがある。また、メディア９９に大きなテンションがかかると、ローラー対３１に対してメディア９９が滑るおそれがある。
【００４５】
すなわち、ラック２４が無い場合、次のような問題が生じる。収容部２２を本体部２３から引き出すとき、軸部材９２が第１側面４４によって引出方向に押されると、軸部材９２が底面４３に摺動する。このとき、軸部材９２が底面４３に摺動することによって軸部材９２と底面４３との間に摺動抵抗（動摩擦力）が発生する。当該摺動抵抗と収容部２２を本体部２３から引き出すときの外力とによって、ロール体９１とローラー対３１との間のメディア９９に大きなテンションがかかってしまう。
【００４６】
これに対し、本実施形態の搬送装置１２においては、収容部２２を本体部２３から引き出す場合に、ラック２４とギヤ９４とが噛み合うことにより、ロール体９１がメディア９９を巻き出すように回転する。そのため、収容部２２を本体部２３から引き出す場合に、ロール体９１によってメディア９９が引っ張られるおそれを低減できる。これにより、メディア９９に大きなテンションがかかるおそれを低減できる。
【００４７】
図７及び図８に示すように、収容部２２全体を本体部２３から引き出すと、軸部材９２は、ラック２４とギヤ９４との噛み合いが解除され、第２支持部４１に支持される。このとき、収容部２２から軸部材９２を取り出すことができる。このように、収容部２２を本体部２３から引き出す場合、軸部材９２は、収容部２２に対しては溝４２内において変位し、本体部２３に対してはラック２４、案内面４６及び傾斜面４７に沿って変位する。
【００４８】
収容部２２を本体部２３に装着する場合、軸部材９２は、第２側面４５に押されることによって、ラック２４、案内面４６及び傾斜面４７に沿って変位する。収容部２２を本体部２３に装着する場合、軸部材９２は、ラック２４、傾斜面４７、案内面４６の順に接触する。
【００４９】
収容部２２を本体部２３に装着する場合、ギヤ９４がラック２４と噛み合うことによって、メディア９９を巻き取るようにロール体９１が回転する。これにより、収容部２２を本体部２３から引き出す際に弛んだメディア９９がロール体９１によって巻き取られる。
【００５０】
ロール体９１から巻き出されたメディア９９が弛んだまま収容部２２を本体部２３に装着すると、弛んだメディア９９が収容部２２と本体部２３とに挟み込まれることによって、メディア９９がダメージを受けるおそれがある。そのため、収容部２２を本体部２３に装着する場合に、弛んだメディア９９をロール体９１が巻き取ることによって、メディア９９がダメージを受けるおそれを低減できる。
【００５１】
次に、上記実施形態の作用及び効果について説明する。
（１）ラック２４は、収容部２２が本体部２３に対して相対的に移動することによって本体部２３から引き出される場合に、ギヤ９４と噛み合う。ラック２４がギヤ９４と噛み合う状態で収容部２２が本体部２３から引き出すと、軸部材９２に取り付けられたロール体９１が回転する。ロール体９１が回転することにより、メディア９９が巻き出される。そのため、収容部２２が本体部２３から引き出される場合にローラー対３１に挟み込まれたメディア９９がロール体９１に引っ張られることによって、メディア９９に大きなテンションがかかるおそれが抑制される。これにより、メディア９９がダメージを受けるおそれを低減できる。
【００５２】
（２）第２支持部４１は、収容部２２が本体部２３から引き出された状態において軸部材９２を支持し、第１支持部３４が軸部材９２を支持する位置よりも低い位置で軸部材９２を支持する。こうすると、収容部２２が本体部２３に装着された状態において、軸部材９２が第１支持部３４及び第２支持部４１の双方に支持されるおそれを低減できる。これにより、軸部材９２が第１支持部３４及び第２支持部４１の双方に支持される場合と比較して、軸部材９２が回転する際における摩擦抵抗を低減できる。特に、ロール体９１からメディア９９が引き出される際に、軸部材９２が底面４３に摺動しながら回転することによって摺動抵抗が増加することを抑制できる。これにより、ローラー対３１の負荷が増加することを抑制する。
【００５３】
（３）本体部２３は、第１支持部３４に支持される位置と第２支持部４１に支持される位置との間において軸部材９２の移動をガイドする傾斜面４７を有する。これにより、軸部材９２を支持する位置の高さが異なる第１支持部３４と第２支持部４１との間において軸部材９２を滑らかに移動させることができる。
【００５４】
（４）搬送装置１２は、収容部２２と本体部２３とを接続し、収容部２２と本体部２３との相対的な移動をガイドするガイドレール２５を備える。これにより、収容部２２を本体部２３から滑らかに引き出すことができる。
【００５５】
本実施形態は、以下のように変更して実施することができる。本実施形態及び以下の変更例は、技術的に矛盾しない範囲で互いに組み合わせて実施することができる。
・第２支持部４１は、第１支持部３４が軸部材９２を支持する位置と同じ高さで軸部材９２を支持してもよい。この場合、収容部２２が本体部２３に装着された状態において、軸部材９２は、第１支持部３４及び第２支持部４１の双方に支持される。この変更例においては、例えば、第１支持部３４、ラック２４、案内面４６及び第２支持部４１の軸部材９２を支持する位置の高さが、それぞれ同じとなる。
【００５６】
・第２支持部４１は、第１支持部３４が軸部材９２を支持する位置よりも高い位置で軸部材９２を支持してもよい。
図９に示すように、第１変更例において、第２支持部４１は、溝４２内において軸部材９２を支持する支持部材５１を有する。支持部材５１は、軸５２を中心に回転可能に構成される。軸５２は、支持部材５１の一端に設けられる。図９において、支持部材５１は、溝４２を横切るように位置する。支持部材５１は、溝４２の底面４３よりも高い位置で軸部材９２を支持する。
【００５７】
本体部２３は、案内面４６から下方に凹む凹溝５３を有する。凹溝５３の底部分に、第１支持部３４が位置する。そのため、第１変更例の第１支持部３４は、案内面４６よりも低い位置で軸部材９２を支持する。
【００５８】
図１０に示すように、収容部２２を本体部２３に装着すると、支持部材５１によって支持される軸部材９２が凹溝５３上に位置する。溝４２の底面４３は、凹溝５３の底部分よりも低い位置に位置する。
【００５９】
図１１に示すように、収容部２２を本体部２３に装着した状態で支持部材５１が回転すると、軸部材９２が溝４２内において落下する。このとき、支持部材５１は、軸５２が取り付けられた一端とは反対の他端が下方を向くように回転する。すなわち、支持部材５１は、溝４２を横切る位置にから横切らない位置に変位する。これにより、軸部材９２は、第１支持部３４によって支持される。このように、第１変更例において、第１支持部３４は、第２支持部４１が軸部材９２を支持する位置寄りも低い位置で軸部材９２を支持する。収容部２２を本体部２３から引き出す場合には、溝４２を横切る位置に支持部材５１を変位させればよい。
【００６０】
次に、第１変更例とは異なる第２変更例を示す。
図１２において、第２変更例において、本体部２３は、案内面４６から下方に凹む凹溝５３を有する。凹溝５３の底部分に、第１支持部３４が位置する。そのため、第２変更例の第１支持部３４は、第１変更例と同様に、案内面４６よりも低い位置で軸部材９２を支持する。
【００６１】
図１３に示すように、収容部２２を本体部２３に装着するべく、収容部２２を本体部２３に押し込むと、溝４２の底面４３によって支持される軸部材９２が凹溝５３上に位置する。このとき、溝４２の底面４３は、凹溝５３の底部分よりも高い位置に位置する。
【００６２】
図１４に示すように、収容部２２を本体部２３に装着するべく、収容部２２を本体部２３に対して下方に移動させると、底面４３の位置が凹溝５３の底部分よりも低い位置となる。このとき、軸部材９２は、第２支持部４１に支持される位置から第１支持部３４に支持される位置に変位する。これにより、収容部２２が本体部２３に装着される。このように、第２変更例において、第１支持部３４は、第２支持部４１が軸部材９２を支持する位置よりも低い位置で軸部材９２を支持する。
【００６３】
・軸部材９２の両端にギヤ９４が設けられてもよい。この場合、２つのギヤ９４に対応するようにラック２４が２つ設けられる。
・軸部材９２は、ロール体９１に挿入される構成に限らず、ロール体９１の両端に取り付けられることによってロール体９１を支持する構成でもよい。
【００６４】
・メディア９９は、用紙に限らず、布帛でもよいしプラスチックフィルムでもよい。
・記録装置１１は、インクジェット方式に限らず、例えば電子写真方式で画像を記録する構成でもよい。
【００６５】
・記録部１３は、メディア９９に熱を加えることによって記録するサーマルヘッドでもよい。
・記録部１３が吐出する液体はインクに限らず、例えば機能材料の粒子が液体に分散又は混合されてなる液状体などでもよい。例えば、記録部１３が液晶ディスプレイ、エレクトロルミネッセンスディスプレイ及び面発光ディスプレイの製造などに用いられる電極材または画素材料などの材料を分散または溶解のかたちで含む液状体を吐出してもよい。
【００６６】
以下に、上述した実施形態及び変更例から把握される技術的思想及びその作用効果を記載する。
搬送装置は、軸部材が取り付けられるロール体からメディアを巻き出すことによって前記メディアを搬送する搬送装置であって、前記ロール体を収容する収容部と、前記収容部が装着される本体部と、前記メディアを挟み込むローラー対と、を備え、前記収容部及び前記本体部は、相対的に移動可能とされ、前記本体部は、前記軸部材が有するギヤと噛合可能なラックを有し、前記ラックは、前記収容部が前記本体部に対して相対的に移動することによって前記本体部から引き出される場合に、前記ギヤと噛み合う。
【００６７】
上記構成によれば、ラックがギヤと噛み合う状態で収容部が本体部から引き出されると、軸部材に取り付けられたロール体が回転する。ロール体が回転することにより、メディアが巻き出される。そのため、収容部が本体部から引き出される場合にローラー対に挟み込まれたメディアがロール体に引っ張られることによって、メディアに大きなテンションがかかるおそれが抑制される。これにより、メディアがダメージを受けるおそれを低減できる。
【００６８】
上記搬送装置において、前記本体部は、前記軸部材を支持可能な第１支持部を有し、前記収容部は、前記軸部材を支持可能な第２支持部を有し、前記第１支持部は、前記収容部が前記本体部に装着された状態において前記軸部材を支持し、前記第２支持部は、前記収容部が前記本体部から引き出された状態において前記軸部材を支持し、前記第１支持部が前記軸部材を支持する位置よりも低い位置で前記軸部材を支持してもよい。
【００６９】
上記構成によれば、収容部が本体部に装着された状態において、軸部材が第１支持部及び第２支持部の双方に支持されるおそれを低減できる。これにより、軸部材が第１支持部及び第２支持部の双方に支持される場合と比較して、軸部材が回転する際における摩擦抵抗を低減できる。
【００７０】
上記搬送装置において、前記本体部は、前記第１支持部に支持される位置と前記第２支持部に支持される位置との間において前記軸部材の移動をガイドする傾斜面を有してもよい。
【００７１】
上記構成によれば、軸部材を支持する位置の高さが異なる第１支持部と第２支持部との間において軸部材を滑らかに移動させることができる。
上記搬送装置は、前記収容部と前記本体部とを接続し、前記収容部と前記本体部との相対的な移動をガイドするガイドレールを備えてもよい。
【００７２】
上記構成によれば、収容部を本体部から滑らかに引き出すことができる。
記録装置は、上記搬送装置と、前記メディアに記録する記録部と、を備える。
上記構成によれば、上述した搬送装置と同様の効果を得ることができる。
【符号の説明】
【００７３】
１１…記録装置、１２…搬送装置、１３…記録部、１４…支持部、２１…筐体、２２…収容部、２３…本体部、２４…ラック、２５…ガイドレール、２６…第１ガイドレール、２７…第２ガイドレール、２８…第３ガイドレール、３１…ローラー対、３２…第１ローラー、３３…第２ローラー、３４…第１支持部、３５…コロ、３６…トルク付与機構、３７…駆動ギヤ、３８…モーター、４１…第２支持部、４２…溝、４３…底面、４４…第１側面、４５…第２側面、４６…案内面、４７…傾斜面、５１…支持部材、５２…軸、５３…凹溝、９１…ロール体、９２…軸部材、９３…ホルダー、９４…ギヤ、９９…メディア。
【図１】
2020131582.tif 000003
【図２】
2020131582.tif 000004
【図３】
2020131582.tif 000005
【図４】
2020131582.tif 000006
【図５】
2020131582.tif 000007
【図６】
2020131582.tif 000008
【図７】
2020131582.tif 000009
【図８】
2020131582.tif 000010
【図９】
2020131582.tif 000011
【図１０】
2020131582.tif 000012
【図１１】
2020131582.tif 000013
【図１２】
2020131582.tif 000014
【図１３】
2020131582.tif 000015
【図１４】
2020131582.tif 000016